(57)【要約】      （修正有）【課題】広画角、高変倍比、および全変倍範囲にわたる高い光学性能の点で有利なズームレンズを提供する。【解決手段】物体側より像側へ順に、正の屈折力の第１レンズ群Ｌ１と、負の屈折力の第２レンズ群Ｌ２と、変倍のために移動する少なくとも１つのレンズ群Ｌ３、Ｌ４と、開口絞りＳＰと、少なくとも１つのレンズ群Ｌ５と、を有するズームレンズであって、隣り合うレンズ群の各組は、変倍のために間隔が変化し、前記開口絞りＳＰより像側の前記少なくとも１つのレンズ群Ｌ５のうち前記開口絞りＳＰの隣のレンズ群は、正レンズを含み、前記正レンズのアッベ数および部分分散比かつ適切に設定されていることを特徴とする。【選択図】図１
2020012909.tif 000002
【特許請求の範囲】
【請求項１】
物体側より像側へ順に、正の屈折力の第１レンズ群と、負の屈折力の第２レンズ群と、変倍のために移動する少なくとも１つのレンズ群と、開口絞りと、少なくとも１つのレンズ群と、を有し、隣り合うレンズ群の各組は、変倍のために間隔が変化し、前記開口絞りより像側の前記少なくとも１つのレンズ群のうち前記開口絞りの隣のレンズ群は、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズ。
ここで、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
無限遠合焦かつ広角端における前記開口絞りから前記正レンズＧｐの物体側の面の頂点までの光軸上の距離をＤｘとし、前記開口絞りから前記ズームレンズの最も像側の面の頂点までの光軸上の距離をＤＲとして、条件式
０．０００＜Ｄｘ／ＤＲ＜０．５００
を満足することを特徴とする請求項１に記載のズームレンズ。
【請求項３】
前記正レンズＧｐの焦点距離をｆｐとし、無限遠合焦かつ広角端における前記開口絞りより像側に配されたレンズの合成焦点距離をｆｓとして、条件式
０．２０＜ｆｐ／ｆｓ＜３．００
を満足することを特徴とする請求項１または２に記載のズームレンズ。
【請求項４】
前記正レンズＧｐの物体側の面の曲率半径をＲ１とし、前記正レンズＧｐの像側の面の曲率半径をＲ２として、条件式
−１．５０＜（Ｒ１＋Ｒ２）／（Ｒ１−Ｒ２）＜２．５０
を満足することを特徴とする請求項１乃至３のうちいずれか１項に記載のズームレンズ。
【請求項５】
前記正レンズＧｐの−３０℃以上＋７０℃以下における平均線膨張係数（１０−５／Ｋ）をαとして、条件式
０．５０＜α＜５．００
を満足することを特徴とする請求項１乃至４のうちいずれか１項に記載のズームレンズ。
【請求項６】
前記正レンズＧｐの屈折率をｎｄとして、条件式
１．５５０＜ｎｄ＜１．７５０
を満足することを特徴とする請求項１乃至５のうちいずれか１項に記載のズームレンズ。
【請求項７】
前記開口絞りは、前記開口絞りの隣の前記レンズ群と共に光軸上を移動することを特徴とする請求項１乃至６のうちいずれか１項に記載のズームレンズ。
【請求項８】
無限遠合焦かつ広角端における全体の焦点距離をｆｗとし、無限遠合焦かつ広角端における前記開口絞りより像側に配されたレンズの合成焦点距離をｆｓとして、条件式
１．００＜ｆｓ／ｆｗ＜２０．００
を満足することを特徴とする請求項１乃至７のうちいずれか１項に記載のズームレンズ。
【請求項９】
請求項１乃至８のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズ及び撮像装置に関するものである。
【背景技術】
【０００２】
例えばスチルカメラ、ビデオカメラ、テレビカメラ、シネマカメラ及び監視カメラ等の、撮像素子を含む撮像装置（カメラ）の高機能化のため、それに用いるズームレンズには、高ズーム比、大口径比、及び高い光学性能を有するものが求められている。特に、プロフェッショナルユースのテレビカメラ・映画用カメラに用いられているＣＣＤやＣＭＯＳデバイス等の撮像デバイスは、撮像範囲全体にわたる解像力の均一性に優れている。そのため、ズームレンズには、その像面における解像力の均一性や、色収差の少なさが要求されている。
【０００３】
特許文献１は、物体側より像側へ順に、正の屈折力のレンズ群と、負の屈折力のレンズ群と、少なくとも１つのレンズ群を含む後群とから構成される所謂ポジティブリード型のズームレンズを開示している。また、特許文献２は、物体側から像側へ順に、正、負、正、負および正の屈折力の第１乃至第５レンズ群からなり、隣り合うレンズ群の各組の間隔を変えて変倍を行うズームレンズを開示している。第１レンズ群が正の屈折力を有するポジティブリード型のズームレンズは、第１レンズ群が負の屈折率を有する所謂ネガティブリード型のズームレンズに比べ、高ズーム比化（高変倍比化）に有利である。
【先行技術文献】
【特許文献】
【０００４】
【特許文献１】特開２０１５−１７６１１８号公報
【特許文献２】特開２０１１−１２３３３７号公報
【発明の概要】
【発明が解決しようとする課題】
【０００５】
高変倍比を有するズームレンズにおいて高い光学性能を得るには、変倍による色収差（特に軸上色収差）の変動の補正（補償）が必要である。少ないレンズ枚数としつつ各レンズ群の屈折力を強めると、諸収差が大きく発生し、高い光学性能を得るのが困難となる。そのため、広画角、高変倍比、および全変倍範囲にわたる軸上色収差の補正（低減）も困難となる。
【０００６】
全変倍範囲にわたる軸上色収差の補正には、開口絞りよりも像面側にあって正の屈折力を有するレンズ（以下、正レンズともいう）に異常分散性を有する材料を使用することが有効である。当該レンズは、軸上色収差に影響する軸上マージナル光線が光軸に対して高い位置を通る。そのため、当該レンズに上述の材料を使用することにより、全変倍範囲にわたる軸上色収差を補正できる。ところが、開口絞りからの距離が大きくなるにつれて、倍率色収差に影響する瞳近軸光線が光軸に対して比較的高い位置を通るようになる。そのため、倍率色収差よりも軸上色収差を顕著に補正する場合は、開口絞りからの距離が比較的小さい位置にあるレンズに上述の材料を使用するのが有効である。当該レンズは、軸上色収差に影響する軸上マージナル光線が光軸に対して比較的高い位置を通り、倍率色収差に影響する瞳近軸光線が光軸に対して比較的低い位置を通る。したがって、そのようなレンズに上述の材料を使用することにより、全変倍範囲にわたり、倍率色収差よりも顕著に軸上色収差を補正できる。それゆえ、当該構成は、軸上色収差および倍率色収差のバランスのとれた補正に有利となりうる。
【０００７】
本発明は、例えば、広画角、高変倍比、および全変倍範囲にわたる高い光学性能の点で有利なズームレンズの提供を目的とする。
【課題を解決するための手段】
【０００８】
上記目的を達成するために、本発明のズームレンズは物体側より像側へ順に、正の屈折力の第１レンズ群と、負の屈折力の第２レンズ群と、変倍のために移動する少なくとも１つのレンズ群と、開口絞りと、少なくとも１つのレンズ群と、を有し、隣り合うレンズ群の各組は、変倍のために間隔が変化し、前記開口絞りより像側の前記少なくとも１つのレンズ群のうち前記開口絞りの隣のレンズ群は、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズ。ここで、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【０００９】
本発明によれば、例えば、広画角、高変倍比、および全変倍範囲にわたる高い光学性能の点で有利なズームレンズを提供することができる。
【図面の簡単な説明】
【００１０】
【図１】実施例１のズームレンズの無限遠合焦時の広角端におけるレンズ断面図である。
【図２】実施例１のズームレンズの無限遠合焦時の（Ａ）広角端、（Ｂ）中間のズーム位置、（Ｃ）望遠端における収差図である。
【図３】実施例２のズームレンズの無限遠合焦時の広角端におけるレンズ断面図である。
【図４】実施例２のズームレンズの無限遠合焦時の（Ａ）広角端、（Ｂ）中間のズーム位置、（Ｃ）望遠端における収差図である。
【図５】実施例３のズームレンズの無限遠合焦時の広角端におけるレンズ断面図である。
【図６】実施例３のズームレンズの無限遠合焦時の（Ａ）広角端、（Ｂ）中間のズーム位置、（Ｃ）望遠端における収差図である。
【図７】実施例４のズームレンズの無限遠合焦時の広角端におけるレンズ断面図である。
【図８】実施例４のズームレンズの無限遠合焦時の（Ａ）広角端、（Ｂ）中間のズーム位置、（Ｃ）望遠端における収差図である。
【図９】実施例５のズームレンズの無限遠合焦時の広角端におけるレンズ断面図である。
【図１０】実施例５のズームレンズの無限遠合焦時の（Ａ）広角端、（Ｂ）中間のズーム位置、（Ｃ）望遠端における収差図である。
【図１１】実施例６のズームレンズの無限遠合焦時の広角端におけるレンズ断面図である。
【図１２】実施例６のズームレンズの無限遠合焦時の（Ａ）広角端、（Ｂ）中間のズーム位置、（Ｃ）望遠端における収差図である。
【図１３】実施例７のズームレンズの無限遠合焦時の広角端におけるレンズ断面図である。
【図１４】実施例７のズームレンズの無限遠合焦時の（Ａ）広角端、（Ｂ）中間のズーム位置、（Ｃ）望遠端における収差図である。
【図１５】実施例８のズームレンズの無限遠合焦時の広角端におけるレンズ断面図である。
【図１６】実施例８のズームレンズの無限遠合焦時の（Ａ）広角端、（Ｂ）中間のズーム位置、（Ｃ）望遠端における収差図である。
【図１７】実施例９のズームレンズの無限遠合焦時の広角端におけるレンズ断面図である。
【図１８】実施例９のズームレンズの無限遠合焦時の（Ａ）広角端、（Ｂ）中間のズーム位置、（Ｃ）望遠端における収差図である。
【図１９】実施例１０のズームレンズの無限遠合焦時の広角端におけるレンズ断面図である。
【図２０】実施例１０のズームレンズの無限遠合焦時の（Ａ）広角端、（Ｂ）中間のズーム位置、（Ｃ）望遠端における収差図である。
【図２１】実施例１１のズームレンズの無限遠合焦時の広角端におけるレンズ断面図である。
【図２２】実施例１１のズームレンズの無限遠合焦時の（Ａ）広角端、（Ｂ）中間のズーム位置、（Ｃ）望遠端における収差図である。
【図２３】実施例１２のズームレンズの無限遠合焦時の広角端におけるレンズ断面図である。
【図２４】実施例１２のズームレンズの無限遠合焦時の（Ａ）広角端、（Ｂ）中間のズーム位置、（Ｃ）望遠端における収差図である。
【図２５】実施例１３のズームレンズの無限遠合焦時の広角端におけるレンズ断面図である。
【図２６】実施例１３のズームレンズの無限遠合焦時の（Ａ）広角端、（Ｂ）中間のズーム位置、（Ｃ）望遠端における収差図である。
【図２７】θｇＦ−νｄ図である。
【図２８】実施例１４の撮像装置の要部概略図である。
【発明を実施するための形態】
【００１１】
以下に、本発明の好ましい実施の形態を、添付の図面に基づいて詳細に説明する。各実施例のズームレンズは、物体側より像側へ順に、正の屈折力の第１レンズ群、負の屈折力の第２レンズ群、変倍時に移動する１つ以上の群、開口絞り、開口絞りの像側に１つ以上の群を有し、互いに隣接するレンズ群の各組の間隔はいずれも変倍のために変化し、開口絞りより像側のレンズ群のうち、開口絞りと隣接するレンズ群をＦＲレンズ群とし、前記ＦＲレンズ群は少なくとも１つのガラスの正レンズＧｐを有し、前記正レンズＧｐのアッベ数をνｄ、部分分散比をθｇＦとしたとき、
θｇＦ−（−１．６６５０×１０−７・νｄ３＋５．２１３０×１０−５・νｄ２−５．６５６０×１０−３・νｄ＋０．７３７０）＞０
０．５４５０＜θｇＦ
５０．０＜νｄ＜８５．０
なる条件式を満足する。
【００１２】
ここで、アッべ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、以下の式で表される。
νｄ＝（Ｎｄ−１）／（ＮＦ−ＮＣ）
θｇＦ＝（Ｎｇ−ＮＦ）／（ＮＦ−ＮＣ）
【００１３】
実施例１から９と実施例１１から１３のズームレンズはズーミングに際して第１レンズ群Ｌ１は不動である。実施例１０のズームレンズはズーミングに際して第１レンズ群Ｌ１が移動する。
【００１４】
各実施例のズームレンズでは、正の屈折力を有する第１レンズ群、変倍に際して移動する負の屈折力を有する第２レンズ群を配置したポジティブリード型のズームレンズである。正の屈折力を有する第１レンズ群は物体側から像側へ順に、合焦時に不動の負の屈折力の第１サブレンズ群、合焦時に光軸上を移動する正の屈折力の第２サブレンズ群、合焦時に固定の正の屈折力の第３サブレンズ群のようなサブユニット構成を有していても良い。フォーカスを行う場合には、第１レンズ群のうち第２サブレンズ群Ｌ１ｂが光軸上を移動する。無限遠から近距離へフォーカスを行う場合に、第２サブレンズ群Ｌ１ｂが光軸上を像側へ移動する。上述の構成とすることにより、特にブリージングとフォーカスによる収差変動の抑制に優れた第１レンズ群を得ることができる。
【００１５】
また、正の屈折力を有する第１レンズ群は、物体側から像側の順に、負の屈折力を有する第１サブレンズ群、正の屈折力を有する第２サブレンズ群のようなサブユニット構成を有していても良い。フォーカスを行う場合には、第２サブレンズ群が光軸方向に移動する。上述の構成とすることにより、小型、軽量な構成の第１レンズ群を得ることができる。第２サブレンズ群はさらに第２１サブレンズ群と第２２サブレンズ群から構成され、それぞれの群が互いに異なった軌跡で光軸上を移動しても良い。第２サブレンズ群を２つに分けて異なる軌跡とすることでフォーカスによる収差変動を抑制することができる。
【００１６】
第１レンズ群がズーミングに際し常時固定とすることで、重量が重い第１レンズ群全体を駆動する必要がなくなり、機構の簡略化が可能となる。また、変倍の際にレンズ全長を一定とする効果を奏する。また、屈折力が負の第２レンズ群は広角端から望遠端への変倍に際して像側へ移動し、高ズーム比を達成し易いズームタイプを採用している。
【００１７】
本発明のズームレンズの特徴について、各条件式に沿って説明する。本発明のズームレンズは、高ズーム比、大口径比で、特にズーム全域の軸上色収差を良好に補正するために、後述するＦＲレンズ群に少なくとも１つ含まれる正レンズＧｐの材料の部分分散比やアッベ数を適切に規定している。
【００１８】
ここで、該正レンズＧｐに採用する材料の部分分散比と軸上色収差の関係について説明する。図２７に示すように、現存する光学材料はアッベ数νｄに対し部分分散比θｇＦが狭い範囲に分布しており、νｄが小さいほどθｇＦが大きい傾向を持っている。ある特定の２波長に対する色収差を補正することを、一般的に２波長色消し（１次スペクトル補正）と呼ぶ。特に高倍率のズームレンズでは、変倍に伴う色収差変動を抑制するために、各レンズ群の軸上色収差及び倍率色収差が概ねゼロ近傍となるように補正される。更に特定の波長を加えて、ある特定の３波長に対する色収差を補正することを、一般的に２次スペクトル補正と呼ぶ。ズームレンズの高仕様化の要求に伴い、ズーム比を大きくするほど、ズーム全域で軸上色収差の２次スペクトルを低減することが難しくなる。
【００１９】
本発明のズームレンズは、物体側より像側へ順に、正の屈折力の第１レンズ群、負の屈折力の第２レンズ群、変倍時に移動する１つ以上の群、開口絞り、開口絞りの像側に１つ以上の群を有す。また、変倍時に隣り合うレンズ群の間隔が変化する。開口絞りより像側のレンズ群のうち、開口絞りと隣接するレンズ群をＦＲレンズ群とすると、ＦＲレンズ群は正レンズＧｐを少なくとも１つ有す。該正レンズＧｐのアッベ数をνｄ、部分分散比をθｇＦとしたとき、
θｇＦ−（−１．６６５×１０−７・νｄ３＋５．２１３×１０−５・νｄ２−５．６５６×１０−３・νｄ＋０．７３７０）＞０  ・・・（１）
０．５４５＜θｇＦ  ・・・（２）
５０．０＜νｄ＜８５．０  ・・・（３）
なる条件式を満たす。
【００２０】
ここで、本実施例で用いている光学素子（レンズ）の材料のアッベ数νｄ、部分分散比θｇＦについて説明する。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、以下の式で表される。
νｄ＝（Ｎｄ−１）／（ＮＦ−ＮＣ）
θｇＦ＝（Ｎｇ−ＮＦ）／（ＮＦ−ＮＣ）
【００２１】
条件式（１）と（２）はＦＲレンズ群内の正レンズＧｐの材料の部分分散比θｇＦを規定している。条件式（１）と（２）式を満たすことで、ズーム全域での軸上色収差を適切なバランスに補正することが可能となる。条件式（１）の下限値を下回ると、ズーム全域、特に望遠端において軸上色収差の二次スペクトルが増加するため好ましくない。
【００２２】
条件式（３）はＦＲレンズ群内の正レンズＧｐの材料のアッベ数νｄを規定している。条件式（３）の上限値を超えてアッベ数νｄが大きくなると、一般的に屈折率が低くなり、必要なレンズ肉厚が増え、大型化するため好ましくない。また、条件式（３）の下限値を超えてアッベ数νｄが小さくなると、ズーム全域において軸上色収差を良好に補正することが困難となる。
【００２３】
なお、好ましくは条件式（１）から（３）の数値範囲を次の如く設定するのが良い。
θｇＦ−（−１．６６５×１０−７・νｄ３＋５．２１３×１０−５・νｄ２−５．６５６×１０−３・νｄ＋０．７３７０）＞０．００２８  ・・・（１ａ）
０．５４９０＜θｇＦ  ・・・（２ａ）
５２．０＜νｄ＜  ８１．０  ・・・（３ａ）
【００２４】
さらに好ましくは条件式（２ａ）から（３ａ）の数値範囲を次の如く設定するのが良い。
０．５５４３＜θｇＦ  ・・・（２ｂ）
５４．０＜νｄ＜６７．０  ・・・（３ｂ）
【００２５】
各実施例では以上の如く構成することにより、広画角、高ズーム比の高い光学性能を有するズームレンズを得られる。
【００２６】
更なる本発明のズームレンズの様態として、次の条件式のうち１つ以上を満足するのが良い。
０．０００＜Ｄｘ／ＤＲ＜０．５００  ・・・（４）
０．２０＜ｆｐ／ｆｓ＜３．００  ・・・（５）
−１．５０＜（Ｒ１＋Ｒ２）／（Ｒ１−Ｒ２）＜２．５０  ・・・（６）
０．５０＜α＜５．００  ・・・（７）
１．５５０＜ｎｄ＜１．７５０  ・・・（８）
１．００＜ｆｓ／ｆｗ＜２０．００  ・・・（９）
【００２７】
ここで、Ｄｘは開口絞りから正レンズＧｐの物体側面頂点までの光軸上の距離、ＤＲは開口絞りから最も像側のレンズの面頂点までの光軸上の距離である。ｆｐは正レンズＧｐの焦点距離、ｆｓは広角端、無限遠合焦時での開口絞り以降のレンズの合成焦点距離である。Ｒ１は正レンズＧｐの物体側の面の曲率半径、Ｒ２は正レンズＧｐの像側の面の曲率半径である。αは正レンズＧｐの材料の−３０℃以上＋７０℃以下における平均線膨張係数（１０−５／Ｋ）である。ｎｄは正レンズＧｐのｄ線に対する屈折率である。ｆｗは広角端、無限遠合焦時での全系の焦点距離である。
【００２８】
条件式（４）は正レンズＧｐの開口絞りより像側のレンズ内における配置について規定している。倍率色収差を維持したまま軸上色収差の２次スペクトルを低減する場合には軸上マージナル光線が高く、瞳近軸光線が低い位置に正レンズＧｐを配置するのが効果的である。一般的に、開口絞りからの距離が近いほど軸上マージナル光線のレンズに対する入射高は高く、瞳近軸光線が低くなる傾向を有し、条件式（４）を満たすことでズーム全域の倍率色収差を維持したまま軸上色収差の２次スペクトルを更に良好に補正することができる。条件式（４）の上限の条件を超えると、瞳近軸光線が高い位置を通り、倍率色収差が変化してしまうため、ズーム全域における軸上色収差と倍率色収差のバランスを取ることが困難となる。条件式（４）の下限の条件を下回ると、光軸における正レンズＧｐの物体側面頂点位置が絞り位置より物体側に存在する、または最も像側のレンズの面頂点が開口絞りより物体側に存在することとなり、適切な肉厚を持たず、好ましくない。
【００２９】
条件式（５）は正レンズＧｐの焦点距離と広角端、無限遠合焦時における開口絞りより物体側のレンズの合成焦点距離の比を規定している。条件式（５）式を満たすことで正レンズＧｐに適切なパワーを持たせることができ、軸上色収差の２次スペクトルを良好に補正することができる。条件式（５）の上限値を超えると、正レンズＧｐに適切なパワーを持たせることができず、軸上色収差の２次スペクトルの補正を十分に発揮できない。条件式（５）の下限の条件を下回ると、正レンズＧｐのパワーが過剰に強くなり、ズーム全域の収差バランスの悪化を招く。また、軸上色収差の２次スペクトルの過補正を回避することも困難となる。
【００３０】
条件式（６）は正レンズＧｐの形状を規定している。条件式（６）の上限値を超えると、正レンズＧｐの物体側の曲率半径の絶対値が小さくなるため物体側の面で発生する諸収差が大きくなりすぎ、他のレンズ面で補正しきれなくなり光学性能が劣化する。もしくは物体側と像側の両面が平板に近づき、パワーを持たなくなるため好ましくない。条件式（６）の下限値を超えると、前記正レンズＧｐの像側の曲率半径の絶対値が小さくなるため像側の面で発生する諸収差が大きくなりすぎ、他のレンズ面で補正しきれず、光学性能が劣化する。もしくは物体側と像側の両面が平板に近づき、パワーを持たなくなるため好ましくない。
【００３１】
条件式（７）は正レンズＧｐの線膨張係数を規定している。条件式（７）の上限を超えて線膨張係数が大きくなると、温度変化によるレンズ形状の変化が大きくなり、諸収差の悪化が起こる。条件式（７）の下限の条件を下回ると、温度変化によるレンズの形状変化が小さくて良いが、条件式を満足する材料を製造することが困難となる。
【００３２】
条件式（８）は正レンズＧｐの材料の屈折率を規定している。条件式（８）の上限を超えると、全系の小型化が容易となるが、条件式（１）、（２）を満たす材料の製造が困難となる。条件式（８）の下限を下回ると、レンズ肉厚が厚くなり、全系が大型化するため好ましくない。
【００３３】
条件式（９）式は前記ズームレンズの広角端、無限遠合焦時における全系の焦点距離と、広角端における開口絞りより像側のレンズの合成焦点距離の比を規定している。条件式（９）式の上限を超えると、開口絞りより像側のレンズの合成パワーが強くなりすぎてしまい、色収差の補正過剰及びズーム全域の色収差補正バランスの悪化を招く。条件式（９）の下限を下回ると、開口絞りより像側のレンズに適切なパワーを持たせることができず、色収差の補正を十分に発揮できない。
【００３４】
なお、好ましくは条件式（４）から（９）の数値範囲を次の如く設定するのがよい。
０．００５＜Ｄｘ／ＤＲ＜０．４９５  ・・・（４ａ）
０．２５＜ｆｐ／ｆｎ＜２．９５  ・・・（５ａ）
−１．００＜（Ｒ１＋Ｒ２）／（Ｒ１−Ｒ２）＜２．００  ・・・（６ａ）
０．８０＜α＜３．００  ・・・（７ａ）
１．５５０＜ｎｄ＜１．７００  ・・・（８ａ）
１．２５＜ｆｓ／ｆｗ＜１７．００  ・・・（９ａ）
【００３５】
また、さらに好ましくは条件式（４ａ）から（９ａ）の数値範囲を次の如く設定するのが良い
０．０１０＜Ｄｘ／ＤＲ＜０．４９０  ・・・（４ｂ）
０．３０＜ｆｐ／ｆｎ＜２．９０  ・・・（５ｂ）
−０．５０＜（Ｒ１＋Ｒ２）／（Ｒ１−Ｒ２）＜１．５０  ・・・（６ｂ）
０．９０＜α＜１．６０  ・・・（７ｂ）
１．５５０＜ｎｄ＜１．６５０  ・・・（８ｂ）
１．５０＜ｆｓ／ｆｗ＜１５．００  ・・・（９ｂ）
【００３６】
更なる本発明のズームレンズの様態として、変倍時に開口絞りとＦＲレンズ群の一部または全てが一体となって光軸上を移動する。これにより、全系の小型化や変倍による諸収差の変動をより抑制することが可能となる。
【００３７】
本実施形態のズームレンズは、ビデオカメラやデジタルスチルカメラ、テレビカメラ、シネマカメラ及び監視カメラ等の撮像装置の撮像光学系として用いられるものである。
【００３８】
以上のように各要素を構成することにより、広画角、高ズーム比、大口径比で、ズーム全域で高い光学性能であり、特にズーム全域の軸上色収差を良好に補正したズームレンズを得ることができる。
【実施例１】
【００３９】
図１は実施例１の広角端におけるレンズ断面図である。実施例１は変倍比１６．１８倍、開口比１．８３〜２．３６程度のズームレンズである。レンズ断面図において、左方が物体側（前方）で、右方が像側（後方）である。ｉを物体側からのレンズ群の順番とすると、Ｌｉは第ｉレンズ群を示す。Ｇはプリズムや光学フィルター等の光学ブロックである。ＳＰは開口絞りである。ＩＰは像面である。像面ＩＰは、デジタルカメラやビデオカメラ、監視カメラの撮像光学系としてズームレンズを使用する際には、ＣＣＤセンサやＣＭＯＳセンサなどの撮像素子（光電変換素子）の撮像面に相当する。後述する実施例においても同様である。
【００４０】
実施例１のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、正の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸の軌跡で移動し、第４レンズ群Ｌ４は物体側に凸の軌跡で移動する。また、広角端から望遠端へのズーミングに際して、開口絞りと第５レンズ群の一部または全てが一体となって動いても良い。
【００４１】
第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂからなる。フォーカスを行う場合には、第１レンズ群Ｌ１のうちの第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を物体側へ移動する。
【００４２】
図２（Ａ）、（Ｂ）、（Ｃ）は実施例１の無限遠合焦時の広角端、中間のズーム位置、望遠端における収差図である。各収差図において、球面収差、倍率色収差、歪曲における実線はｄ線、二点鎖線はｇ線、一点鎖線はＣ線、破線はＦ線を示す。非点収差図における破線と実線は各々メリディオナル像面、サジタル像面を示す。ωは半画角、ＦｎｏはＦナンバーである。球面収差図は０．４ｍｍ、非点収差図は０．４ｍｍ、歪曲図は５％、倍率色収差図は０．０５ｍｍのスケールで描かれている。後述する各実施例についても同様である。
【実施例２】
【００４３】
図３は実施例２の広角端におけるレンズ断面図である。実施例２は変倍比１８．１２倍、開口比１．９５〜２．６３程度のズームレンズである。
【００４４】
実施例２のズームレンズの概略の構成、ズーミング、フォーカシングのためのレンズ群の移動については、実施例１と同様であるので、説明を省略する。
【００４５】
図４（Ａ）、（Ｂ）、（Ｃ）は実施例２の無限遠合焦時の広角端、中間のズーム位置、望遠端における収差図である。
【実施例３】
【００４６】
図５は実施例３の広角端におけるレンズ断面図である。実施例３は変倍比１６．８６倍、開口比１．８５〜２．４４程度のズームレンズである。
【００４７】
実施例３のズームレンズの概略の構成、ズーミング、フォーカシングのためのレンズ群の移動については、実施例１と同様であるので、説明を省略する。
【００４８】
図６（Ａ）、（Ｂ）、（Ｃ）は実施例３の無限遠合焦時の広角端，中間のズーム位置，望遠端における収差図である。
【実施例４】
【００４９】
図７は実施例４の広角端におけるレンズ断面図である。実施例４は変倍比１８．１６倍、開口比１．９１〜２．６２程度のズームレンズである。
【００５０】
実施例４のズームレンズの概略の構成、ズーミング、フォーカシングのためのレンズ群の移動については、実施例１と同様であるので、説明を省略する。
【００５１】
図８（Ａ）、（Ｂ）、（Ｃ）は実施例４の無限遠合焦時の広角端、中間のズーム位置、望遠端における収差図である。
【実施例５】
【００５２】
図９は実施例５の広角端におけるレンズ断面図である。実施例５は変倍比１８．１６倍、開口比１．９１〜２．６２程度のズームレンズである。
【００５３】
実施例５のズームレンズの概略の構成、ズーミング、フォーカシングのためのレンズ群の移動については、実施例１と同様であるので、説明を省略する。
図１０（Ａ）、（Ｂ）、（Ｃ）は実施例５の無限遠合焦時の広角端、中間のズーム位置、望遠端における収差図である。
【実施例６】
【００５４】
図１１は実施例６の広角端におけるレンズ断面図である。実施例６は変倍比８．００倍、開口比２．９９〜３．６５程度のズームレンズである。
【００５５】
実施例６のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。広角端から望遠端へのズーミングに際して、第３レンズ群Ｌ３は物体側に凸状の軌跡で移動する。また、ズーミングに際し、第１レンズ群Ｌ１と開口絞りＳＰ及び開口絞りＳＰより像側の第４レンズ群Ｌ４は常時固定とすることで、広角端からＦ落ちポイントまでのズーム範囲でＦナンバーを一定に保っている。第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に固定の正の屈折力の第３サブレンズ群Ｌ１ｃからなる。フォーカスを行う場合には、第１レンズ群のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００５６】
図１２（Ａ）、（Ｂ）、（Ｃ）は実施例６の無限遠合焦時の広角端、中間のズーム位置、望遠端における収差図である。
【実施例７】
【００５７】
図１３は実施例７の広角端におけるレンズ断面図である。実施例７は変倍比１１７．６０倍、開口比１．７６〜５．１８程度のズームレンズである。
【００５８】
実施例７のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群は物体側に移動、第４レンズ群Ｌ４は物体側に移動する。実施例７のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側の第５レンズ群Ｌ５は常時固定とすることで、広角端からＦ落ちポイントまでのズーム範囲でＦナンバーを一定に保っている。
【００５９】
第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に光軸上を移動する正の屈折力の第３サブレンズ群Ｌ１ｃからなる。無限遠から近距離へフォーカスを行う場合には、第１レンズ群Ｌ１のうち第２サブレンズ群Ｌ１ｂ及び第３サブレンズ群Ｌ１ｃを、互いに異なった軌跡で光軸上を移動させてフォーカシングを行うフローティングインナーフォーカス式を採用している。無限遠から近距離へフォーカスを行う場合に、第２サブレンズ群Ｌ１ｂ及び第３サブレンズ群Ｌ１ｃが光軸上を物体側へ移動する。このとき第２サブレンズ群Ｌ１ｂの方が第３サブレンズ群Ｌ１ｃに比べて移動量が大きい。
【００６０】
図１４（Ａ）、（Ｂ）、（Ｃ）は実施例７の無限遠合焦時の広角端、中間のズーム位置、望遠端における収差図である。
【実施例８】
【００６１】
図１５は実施例８の広角端におけるレンズ断面図である。実施例８は変倍比２９．９７倍、開口比１．４９〜２．２０程度のズームレンズである。
【００６２】
実施例８のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群は物体側に凸の軌跡で移動し、第４レンズ群は物体側に凸の軌跡で移動する。実施例８のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側の第５レンズ群Ｌ５は常時固定とすることで、これにより広角端からＦ落ちポイントまでのズーム範囲でＦナンバーを一定に保っている。第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００６３】
図１６（Ａ）、（Ｂ）、（Ｃ）は実施例８の無限遠合焦時の広角端、中間のズーム位置、望遠端における収差図である。
【実施例９】
【００６４】
図１７は実施例９の広角端におけるレンズ断面図である。実施例９は変倍比４３．６５倍、開口比１．６７〜４．９５程度のズームレンズである。
【００６５】
実施例９のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は第２レンズ群Ｌ２、第３レンズ群Ｌ３の移動による像面変動を補正するように像側に凸状の軌跡で移動する。実施例９のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。第４レンズ群Ｌ４は光軸上を移動させてフォーカシングを行うリヤフォーカス式を採用している。そして、第４レンズ群Ｌ４を移動させて変倍に伴う像面変動を補正すると共に、フォーカシングを行っている。
【００６６】
図１８（Ａ）、（Ｂ）、（Ｃ）は実施例９の無限遠合焦時の広角端、中間のズーム位置、望遠端における収差図である。
【実施例１０】
【００６７】
図１９は実施例１０の広角端におけるレンズ断面図である。実施例１０は変倍比５．８２倍、開口比２．０８〜２．８８程度のズームレンズである。
【００６８】
実施例１０のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４の４つのレンズ群から構成されている。広角端から望遠端へのズーミングに際して、第１レンズ群は物体側に移動し、第２レンズ群は像側に移動し、第３レンズ群は物体側に凸の軌跡で移動し、第４レンズ群は第１レンズ群Ｌ１、第２レンズ群Ｌ２、第３レンズ群Ｌ３の移動による像面変動を補正するように物体側に凸の軌跡で移動している。ズーミングに際して開口絞りＳＰは不動である。第４レンズ群Ｌ４は光軸上を移動させてフォーカシングを行うリヤフォーカス式を採用している。そして、第４レンズ群を移動させて変倍に伴う像面変動を補正すると共に、フォーカシングを行っている。ズーミングにおける第４レンズ群Ｌ４の移動軌跡を物体側に凸状とすることで、第３レンズ群Ｌ３と第４レンズ群Ｌ４の空間の有効利用を図り、レンズ全長の短縮化を効果的に達成している。
【００６９】
図２０（Ａ）、（Ｂ）、（Ｃ）は実施例１０の無限遠合焦時の広角端、中間のズーム位置、望遠端における収差図である。
【実施例１１】
【００７０】
図２１は実施例１１の広角端におけるレンズ断面図である。実施例１１は変倍比１６．４０倍、開口比１．８４〜２．４５程度のズームレンズである。
【００７１】
実施例１１のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４、正の屈折力の第５レンズ群Ｌ５の５つのレンズ群から構成されている。ズーミングに際して第１レンズ群Ｌ１と第５レンズ群Ｌ５は不動である。広角端から望遠端へのズーミングに際して、第２レンズ群が像側に移動し、第３レンズ群は物体側に凸の軌跡で移動し、第４レンズ群は開口絞りと共に物体側に凸の軌跡で移動する。第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂからなる。フォーカスを行う場合には、第１レンズ群Ｌ１のうちの第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を物体側へ移動する。
【００７２】
図２２（Ａ）、（Ｂ）、（Ｃ）は実施例１１の無限遠合焦時の広角端、中間のズーム位置、望遠端における収差図である。
【実施例１２】
【００７３】
図２３は実施例１２の広角端におけるレンズ断面図である。実施例１２は変倍比３０．０１倍、開口比１．４９〜２．２０程度のズームレンズである。
【００７４】
実施例１２のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５、開口絞りＳＰ、正の屈折力の第６レンズ群Ｌ６の６つのレンズ群から構成されている。ズーミングに際して第１レンズ群Ｌ１と第６レンズ群Ｌ６と開口絞りＳＰは不動である。広角端から望遠端へのズーミングに際して、第２レンズ群と第３レンズ群が像側に移動し、第４レンズ群Ｌ４は物体側に凸の軌跡で移動し、第５レンズ群Ｌ５は物体側に凸の軌跡で移動する。実施例１２のズームレンズは、第２レンズ群Ｌ２と第３レンズ群Ｌ３の移動により主な変倍を行っている。ズーミングに際し、広角端に比べ望遠端において第２レンズ群Ｌ２と第３レンズ群Ｌ３が像側に位置するように移動させることにより、第２レンズ群Ｌ２と第３レンズ群Ｌ３に大きな変倍効果を持たせている。また、ズーミングに際し、開口絞りＳＰ及び開口絞りＳＰより像側の第６レンズ群Ｌ６は常時固定とすることで、これにより広角端からＦ落ちポイントまでのズーム範囲でＦナンバーを一定に保っている。第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００７５】
図２４（Ａ）、（Ｂ）、（Ｃ）は実施例１２の無限遠合焦時の広角端、中間のズーム位置、望遠端における収差図である。
【実施例１３】
【００７６】
図２５は実施１３の広角端におけるレンズ断面図である。実施例１３は変倍比８．００倍、開口比２．９７〜３．６３程度のズームレンズである。
【００７７】
実施例１３のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。広角端から望遠端へのズーミングにおいて第３レンズ群Ｌ３は物体側に凸状の軌跡で移動する。また、ズーミングに際し、第１レンズ群Ｌ１と開口絞りＳＰ及び開口絞りＳＰより像側の第４レンズ群Ｌ４は常時固定とすることで、広角端からＦ落ちポイントまでのズーム範囲でＦナンバーを一定に保っている。第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に固定の正の屈折力の第３サブレンズ群Ｌ１ｃからなる。フォーカシングを行う場合には、第１レンズ群のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００７８】
図２６（Ａ）、（Ｂ）、（Ｃ）は実施例１３の無限遠合焦時の広角端、中間のズーム位置、望遠端における収差図である。
【実施例１４】
【００７９】
次に本発明のズームレンズを撮像光学系として用いたＴＶカメラ（撮像装置）の実施形態を、図２８を用いて説明する。図２８において１０１は実施例１〜１３のいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のレンズ群Ｒを有している。第１レンズ群Ｆはフォーカシングに際して移動するレンズ群が含まれている。
【００８０】
変倍部ＬＺはズーミングに際して移動する少なくとも２つ以上のレンズ群が含まれている。変倍部ＬＺより像側には開口絞りＳＰ、レンズ群Ｒ１、レンズ群Ｒ２、レンズ群Ｒ３が配置され、光路中より挿抜可能なレンズユニットＩＥを有している。レンズ群Ｒ１とレンズ群Ｒ２との間にレンズユニットＩＥを挿入されることで、ズームレンズ１０１の全系の焦点距離範囲を変位している。
【００８１】
１１４、１１５は各々第１レンズ群Ｆ、変倍部のＬＺを光軸方向に駆動するヘリコイドやカム等の駆動機構である。１１６〜１１８は駆動機構１１４、１１５及び開口絞りＳＰを電気駆動するモータ（駆動手段）である。
【００８２】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルターや色分解光学系に相当するガラスブロック、１１０はズームレンズ１０１によって形成された被写体像を受光するＣＣＤセンサやＣＭＯＳセンサなどの撮像素子（光電変換素子）である。また、１１１、１２２はカメラ１２４及びズームレンズ１０１の各種の駆動を制御するＣＰＵ（制御部）である。
【００８３】
このように本発明のズームレンズをテレビカメラに適用することにより、高い光学性能を有する撮像装置を実現している。
【００８４】
次に本発明の実施例１から１３に対応する数値実施例１から１３を示す。各数値データにおいてｉは物体側からの面の順序を示す。ｒｉは物体側より順に第ｉ番目のレンズ面の曲率半径、ｄｉは物体側より順に第ｉ面と第ｉ＋１面の間のレンズ厚または空気間隔、ｎｄｉとνｄｉは各々物体側より順に第ｉ面と第ｉ＋１面の間のレンズの材料の屈折率とアッベ数である。ＢＦはバックフォーカスであり、最終レンズ面から像面までの空気換算での距離で示している。レンズ全長は第１面から最終面までの距離にバックフォーカスを加えた値である。非球面データにおける非球面形状は、次式で表される。ここで、光軸をＸ軸とし、光軸とは直交する軸をＨ軸とし、光の進行方向をＸ軸の正の方向とする。また、Ｒを近軸曲率半径とし、ｋを円錐定数とし、Ａ２、Ａ４、Ａ６、Ａ８、Ａ１０、Ａ１２、Ａ１４およびＡ１６のそれぞれを非球面係数とする。
【数１】
2020012909.tif 000003
各非球面形状において［ｅ−Ｘ］は［×１０−Ｘ］を意味している。焦点距離、Ｆナンバー等のスペックに加え、全系の半画角、像高は半画角を決定する最大像高である。また各レンズ群データは、各レンズ群の焦点距離を示している。また各光学面の間隔ｄが（可変）となっている部分は、ズーミングに際して変化するものであり、別表に焦点距離に応じた面間隔を示している。
【００８５】
なお、以下に記載する数値データ１から１３のレンズデータに基づく各条件式の計算結果を表１に示す。表１中の正レンズＧｐの数字は、ズームレンズ内で物体側から数えたレンズ要素の番号を示す。
【００８６】
（数値実施例１）
単位 mm
面データ
面番号       r        d      nd         vd 
1       -195.110    2.30   1.72047    34.7           
2        213.200    3.35                             
3        559.859    2.30   1.80100    35.0           
4         74.828   15.41   1.49700    81.5           
5       -144.095    0.40                             
6        152.906    7.57   1.43387    95.1           
7       -366.187    6.90                             
8        101.190   10.20   1.61800    63.3           
9       -201.365    0.15                             
10         57.630    4.95                             
11        108.668  (可変)                             
12         57.188    0.95   1.88300    40.8           
13         13.967    6.15                             
14        -68.473    6.90   1.80810    22.8           
15        -13.212    0.74   1.88300    40.8           
16         58.407    0.21                             
17         25.446    2.90   1.66680    33.0           
18         64.967  (可変)                             
19        -27.191    0.70   1.75700    47.8           
20         31.927    2.87   1.84649    23.9           
21        620.418  (可変)                             
22       -174.361    3.66   1.63854    55.4           
23        -32.005    0.15                             
24         80.096    3.70   1.51633    64.1           
25        -85.790  (可変)                             
26(絞り)    ∞       1.30                             
27         41.697    5.92   1.59410    60.5               
28        -33.365    0.90   1.83481    42.7           
29        100.468   32.40                             
30        107.990    4.61   1.49700    81.5           
31        -39.829    0.30                             
32       -145.140    1.40   1.83403    37.2           
33         23.117    5.38   1.48749    70.2           
34         69.555    0.29                             
35         70.609    6.50   1.50127    56.5           
36        -24.292    1.40   1.83481    42.7           
37        -43.912    2.04                             
38         35.248    5.30   1.50127    56.5           
39        -83.437    4.00                             
40          ∞      33.00   1.60859    46.4           
41          ∞      13.20   1.51633    64.1           
42          ∞       7.22                            
像面        ∞   
各種データ
ズーム比     16.18 
焦点距離       8.00    33.71   129.48
Fナンバー      1.83     1.83     2.36 
半画角        34.51     9.27     2.43 
像高           5.50     5.50     5.50 
レンズ全長   268.66   268.66   268.66  
BF             7.22     7.22     7.22  
d11            0.34    32.47    45.87
d18           48.72     9.86     9.56  
d21            6.22    10.64     1.72 
d25            5.74     8.06     3.88   
ズームレンズ群データ
群  始面    焦点距離  
1    1      61.00  
2   12     -14.20  
3   19     -37.82  
4   22      34.90  
5   26      47.24  
【００８７】
（数値実施例２）
単位 mm
面データ
面番号       r        d      nd         vd     
1       -307.035    2.30   1.72047    34.7           
2        245.031    3.35                             
3      -8526.126    2.30   1.80100    35.0           
4         71.854   15.41   1.49700    81.5           
5       -142.902    0.40                             
6        145.743    7.57   1.43387    95.1           
7       -615.997    6.90                             
8         99.614   10.20   1.61800    63.3           
9       -199.192    0.15                             
10         56.375    4.95                             
11        108.370  (可変)                             
12         57.188    0.95   1.88300    40.8           
13         14.141    6.15                             
14        -68.361    6.90   1.80810    22.8           
15        -13.117    0.74   1.88300    40.8           
16         67.810    0.21                             
17         25.262    2.90   1.66680    33.0           
18         51.616  (可変)                             
19        -25.537    0.70   1.75700    47.8           
20         29.312    2.87   1.84649    23.9           
21        368.650  (可変)                             
22       -180.410    3.66   1.63854    55.4           
23        -32.414    0.15                             
24         71.982    3.70   1.51633    64.1           
25       -104.086  (可変)                             
26(絞り)    ∞       1.30                             
27        110.273    5.92   1.65000    65.5           
28        -26.043    0.90   1.83481    42.7           
29       -137.571   32.40                             
30        335.867    4.61   1.49700    81.5           
31        -32.652    0.30                             
32        -52.683    1.40   1.83403    37.2           
33         25.067    5.38   1.48749    70.2           
34         69.555    0.29                             
35         70.609    6.50   1.50127    56.5           
36        -19.707    1.40   1.83481    42.7           
37        -31.424    2.04                             
38         37.199    5.30   1.50127    56.5           
39        -69.246    4.00                             
40          ∞      33.00   1.60859    46.4           
41          ∞      13.20   1.51633    64.1           
42          ∞       6.71                             
像面        ∞   
各種データ
ズーム比     18.12 
焦点距離       8.00    34.65   144.94 
Fナンバー      1.95     1.94     2.63 
半画角        34.51     9.02     2.17 
像高           5.50     5.50     5.50   
レンズ全長   268.44   268.44   268.44 
BF             6.71     6.71     6.71   
d11            0.45    32.57    45.98  
d18           48.89    10.04     9.74  
d21            6.22    10.07     0.75    
d25            5.74     8.62     4.84    
ズームレンズ群データ
群  始面    焦点距離  
1    1      61.00  
2   12     -14.20  
3   19     -34.52  
4   22      35.42  
5   26      48.95  
【００８８】
（数値実施例３）
単位 mm
面データ
面番号       r        d      nd         vd     
1       -168.832    2.30   1.72047    34.7           
2        248.925    3.35                             
3        440.984    2.30   1.80100    35.0           
4         73.124   15.41   1.49700    81.5           
5       -129.917    0.40                             
6        158.101    7.57   1.43387    95.1           
7       -596.474    6.90                             
8         96.267   10.20   1.61800    63.3           
9       -199.490    0.15                             
10         56.258    4.95                             
11         99.434  (可変)                             
12         57.188    0.95   1.88300    40.8           
13         13.848    6.15                             
14        -85.144    6.90   1.80810    22.8           
15        -13.513    0.74   1.88300    40.8           
16         42.876    0.21                             
17         24.409    2.90   1.66680    33.0           
18         85.786  (可変)                             
19        -27.191    0.70   1.75700    47.8           
20         34.901    2.87   1.84649    23.9           
21       1245.839  (可変)                             
22       -533.822    3.66   1.63854    55.4           
23        -34.963    0.15                             
24        113.419    3.70   1.51633    64.1           
25        -71.406  (可変)                             
26(絞り)    ∞       1.30                             
27         64.363    5.92   1.65000    55.0              
28        -25.292    0.90   1.83481    42.7           
29        213.722   32.40                             
30        344.260    4.61   1.49700    81.5           
31        -35.151    0.30                             
32       -275.663    1.40   1.83403    37.2           
33         23.337    5.38   1.48749    70.2           
34         70.773    0.29                             
35         47.494    6.50   1.50127    56.5           
36        -24.365    1.40   1.83481    42.7           
37        -52.842    2.04                             
38         39.481    5.30   1.50127    56.5           
39        -80.742    4.00                             
40          ∞      33.00   1.60859    46.4           
41          ∞      13.20   1.51633    64.1           
42          ∞       7.24                             
像面        ∞   
各種データ
ズーム比     16.86 
焦点距離       8.00    33.87   134.90  
Fナンバー      1.85     1.84     2.44     
半画角        34.51     9.22     2.33     
像高           5.50     5.50     5.50   
レンズ全長   268.45   268.45   268.45    
BF             7.24     7.24     7.24    
d11            0.05    32.17    45.58  
d18           48.79     9.93     9.63    
d21            6.22    10.70     1.07    
d25            5.74     8.00     4.53    
ズームレンズ群データ
群  始面    焦点距離  
1    1      61.00  
2   12     -14.20  
3   19     -38.52  
4   22      35.07  
5   26      46.93  
【００８９】
（数値実施例４）
単位 mm
面データ
面番号       r        d      nd         vd     
1       -307.035    2.30   1.72047    34.7           
2        245.031    3.35                             
3      -8526.126    2.30   1.80100    35.0           
4         71.854   15.41   1.49700    81.5           
5       -142.902    0.40                             
6        135.985    7.57   1.43387    95.1           
7       -672.572    6.90                             
8        100.109   10.20   1.61800    63.3           
9       -198.542    0.15                             
10         54.118    4.95                             
11         98.340  (可変)                             
12         57.188    0.95   1.88300    40.8           
13         14.081    6.15                             
14        -82.716    6.90   1.80810    22.8           
15        -13.056    0.74   1.88300    40.8           
16         52.821    0.21                             
17         24.408    2.90   1.66680    33.0           
18         56.765  (可変)                             
19        -23.852    0.70   1.75700    47.8           
20         35.297    2.87   1.84649    23.9           
21       -920.193  (可変)                             
22       -164.379    3.66   1.63854    55.4           
23        -29.791    0.15                             
24         71.965    3.70   1.51633    64.1           
25        -94.144  (可変)                             
26(絞り)    ∞       1.30                             
27        177.219    5.92   1.48116    80.2               
28        -26.490    0.90   1.83481    42.7           
29        -75.980   32.40                             
30        135.104    4.61   1.49700    81.5           
31        -37.457    0.30                             
32        -82.762    1.40   1.83403    37.2           
33         26.113    5.38   1.48749    70.2           
34         69.555    0.29                             
35         70.609    6.50   1.50127    56.5           
36        -22.788    1.40   1.83481    42.7           
37        -37.500    2.04                             
38         39.170    5.30   1.50127    56.5           
39        -83.632    4.00                             
40          ∞      33.00   1.60859    46.4           
41          ∞      13.20   1.51633    64.1           
42          ∞       7.24                             
像面        ∞   
各種データ
ズーム比     18.16 
焦点距離       8.00    34.80   145.30 
Fナンバー      1.91     1.90     2.62  
半画角        34.51     8.98     2.17   
像高           5.50     5.50     5.50   
レンズ全長   268.89   268.89   268.89 
BF             7.24     7.24     7.24  
d11            0.10    32.23    45.63  
d18           49.17    10.31    10.01  
d21            6.22    10.19     0.52   
d25            5.74     8.50     5.07     
ズームレンズ群データ
群  始面    焦点距離  
1    1      61.00  
2   12     -14.20  
3   19     -35.46  
4   22      33.18  
5   26      46.91  
【００９０】
（数値実施例５）
単位 mm
面データ
面番号       r        d      nd         vd     
1       -307.035    2.30   1.72047    34.7           
2        245.031    3.35                             
3      -8526.126    2.30   1.80100    35.0           
4         71.854   15.41   1.49700    81.5           
5       -142.902    0.40                             
6        134.223    7.57   1.43387    95.1           
7       -754.707    6.90                             
8        100.551   10.20   1.61800    63.3           
9       -198.477    0.15                             
10         53.952    4.95                             
11         98.510  (可変)                             
12         57.188    0.95   1.88300    40.8           
13         14.056    6.15                             
14        -76.794    6.90   1.80810    22.8           
15        -12.992    0.74   1.88300    40.8           
16         58.212    0.21                             
17         24.758    2.90   1.66680    33.0           
18         54.971  (可変)                             
19        -23.852    0.70   1.75700    47.8           
20         35.297    2.87   1.84649    23.9           
21       -920.193  (可変)                             
22       -164.379    3.66   1.63854    55.4           
23        -29.791    0.15                             
24         71.965    3.70   1.51633    64.1           
25        -94.144  (可変)                             
26(絞り)    ∞       1.30                             
27        159.310    5.92   1.48107    80.0              
28        -26.891    0.90   1.83481    42.7           
29        -76.209   32.40                             
30        201.295    4.61   1.49700    81.5           
31        -34.826    0.30                             
32        -66.773    1.40   1.83403    37.2           
33         27.060    5.38   1.48749    70.2           
34         69.555    0.29                             
35         70.609    6.50   1.50127    56.5           
36        -20.871    1.40   1.83481    42.7           
37        -33.648    2.04                             
38         37.680    5.30   1.50127    56.5           
39        -87.963    4.00                             
40          ∞      33.00   1.60859    46.4           
41          ∞      13.20   1.51633    64.1           
42          ∞       7.23                             
像面        ∞   
各種データ
ズーム比     18.16 
焦点距離       8.00    34.80   145.30
Fナンバー      1.91     1.90     2.62   
半画角        34.51     8.98     2.17   
像高           5.50     5.50     5.50     
レンズ全長   268.88   268.88   268.88   
BF             7.23     7.23     7.23      
d11            0.17    32.29    45.69   
d18           49.11    10.25     9.95   
d21            6.22    10.19     0.52   
d25            5.74     8.50     5.07      
ズームレンズ群データ
群  始面    焦点距離  
1    1      61.00  
2   12     -14.20  
3   19     -35.46  
4   22      33.18  
5   26      46.81  
【００９１】
（数値実施例６）
単位 mm
面データ
面番号       r        d      nd         vd     
1        319.300    3.20   1.77250    49.6           
2         60.853   24.07                             
3       -114.316    2.70   1.77250    49.6           
4        390.441    0.20                             
5        144.586    6.98   1.92286    20.9           
6        655.006    2.00                             
7        518.375   11.27   1.56384    60.7           
8*      -132.487    0.20                             
9        512.282   15.28   1.49700    81.5           
10        -79.968    2.50   1.80000    29.8           
11       -132.641    7.00                             
12        122.536    2.50   1.73800    32.3           
13         56.237   20.37   1.49700    81.5           
14       -213.725    0.20                             
15         70.763   11.75   1.53715    74.8           
16       -757.455    0.20                             
17        120.911    3.46   1.79000    45.5           
18        152.249  (可変)                             
19*        65.476    1.20   1.88300    40.8           
20         18.484    5.59                             
21        -96.187    4.22   1.84666    23.8           
22        -23.203    0.70   1.77250    49.6           
23        -97.751    2.29                             
24        -24.686    0.70   1.72916    54.7           
25        186.815    0.16                             
26         59.654    4.01   1.65412    39.7           
27        -73.629  (可変)                             
28        -33.864    0.90   1.65160    58.5           
29        154.716    2.37   1.80810    22.8           
30       -398.291  (可変)                             
31(絞り)    ∞       1.29                             
32        708.195    4.50   1.57000     0.0               
33        -59.242    0.20                             
34        100.836    5.05   1.61800    63.3           
35       -104.139    0.20                             
36         66.295    5.21   1.49700    81.5           
37       -186.913    1.20   2.00100    29.1           
38        417.067    0.20                             
39         45.285    8.34   1.51633    64.1           
40        -50.651    1.10   1.77250    49.6           
41        159.597   23.37                             
42         44.203    5.15   1.48749    70.2           
43        -51.308    0.58                             
44         29.794    5.56   1.48749    70.2           
45        -41.307    1.00   2.00069    25.5           
46         24.088    2.36                             
47         83.231    7.29   1.80810    22.8           
48        -16.323    1.00   1.88300    40.8           
49         94.923    6.11                             
50         35.141    5.07   1.48749    70.2           
51       -651.362   37.93                             
像面        ∞   
非球面データ
第8面
K = 1.10503e+000  A 4= 2.30592e-007  A 6= 2.88549e-011  A 8=-8.66905e-014  A10= 1.32911e-016  A12=-1.14764e-019  A14= 4.95589e-023  A16=-8.43550e-027  
第19面
K = 3.44770e+000  A 4= 1.56848e-006  A 6=-1.14379e-008  A 8= 7.31299e-011  A10=-5.59126e-013  A12= 2.16176e-015  A14=-3.60606e-018  A16= 9.59702e-022  
各種データ
ズーム比      8.00 
焦点距離      20.02    70.09   160.20  
Fナンバー      2.99     2.99     3.65     
半画角        37.83    12.51     5.54    
像高          15.55    15.55    15.55    
レンズ全長   309.52   309.52   309.52   
BF            37.93    37.93    37.93   
d18            0.05    33.15    44.59   
d27           41.34     4.88     4.62    
d30            9.40    12.77     1.58  
ズームレンズ群データ
群  始面    焦点距離  
1    1      53.64  
2   19     -21.51  
3   28     -62.03  
4   31      33.44  
【００９２】
（数値実施例７）
単位 mm
面データ
面番号       r        d      nd         vd     
1      -3235.589    6.00   1.83400    37.2           
2        351.030    2.00                             
3        372.442   29.00   1.43387    95.1           
4       -553.836   24.39                             
5        394.517   21.50   1.43387    95.1           
6      -1533.068    0.25                             
7        292.530   20.00   1.43387    95.1           
8       1747.739    2.03                             
9        198.926   23.20   1.49700    81.5           
10        753.997  (可変)                             
11*      1157.575    2.20   2.00330    28.3           
12         46.569    8.00                             
13       -147.142    1.45   1.81600    46.6           
14         37.089    9.52   1.92286    18.9           
15       -133.202    2.50                             
16        -52.311    2.20   1.83400    37.2           
17        403.393  (可変)                             
18        120.317   11.50   0.00000    67.0           
19*      -389.309    0.50                             
20        189.763   10.00   0.00000    67.0           
21       -406.945    0.20                             
22        125.398    2.00   1.84666    23.8           
23         59.004   18.00   1.43875    94.9           
24       -578.144    0.50                             
25        118.870    8.00   0.00000    67.0           
26*     -1964.813  (可変)                             
27       -501.477    1.40   1.88300    40.8           
28         32.486    8.00   1.80810    22.8           
29        437.583  (可変)                             
30(絞り)    ∞     (可変)                             
31        -43.848    2.00   1.88300    40.8           
32        450.199    2.00                             
33         79.717    5.00   1.80810    22.8           
34        540.194    2.00                             
35        282.007    4.00   1.81600    46.6           
36        178.585    8.00                             
37        -66.095    2.00   1.83400    37.2           
38         70.532   11.00   1.51633    64.1           
39        -45.080    1.00                             
40       7130.066   12.25   1.55000    56.8               
41        -55.926    5.00                             
42        438.099    8.00   1.54072    47.2           
43        -69.665    1.20                             
44         53.049    2.50   1.83400    37.2           
45         24.426    9.50   1.48749    70.2           
46        100.262    0.50                             
47         46.900    8.00   1.53172    48.8           
48        -68.738    3.00   1.88300    40.8           
49         33.106    2.00                             
50         27.322    8.00   1.51742    52.4           
51       -128.716    5.00                             
52          ∞      33.00   1.60859    46.4           
53          ∞      13.20   1.51633    64.2           
54          ∞       5.00                             
像面        ∞   
非球面データ
第11面
K =-7.30345e+002  A 4= 4.66948e-007  A 6=-2.19251e-010  A 8= 2.84425e-012  A10=-6.60672e-015  A12= 4.97117e-018  
第19面
K = 0.00000e+000  A 4=-5.96926e-008  A 6= 9.70707e-011  A 8=-2.28953e-014  A10=-6.92120e-019  A12= 1.30954e-021  
第26面
K = 0.00000e+000  A 4= 3.54390e-007  A 6= 1.11606e-010  A 8=-3.97683e-013  A10= 3.46209e-016  A12=-9.86702e-020  
各種データ
ズーム比    117.60 
焦点距離       8.93    60.77   1049.82  
Fナンバー      1.76     1.77     5.18  
画角          31.64     5.17     0.30  
像高           5.50     5.50     5.50  
レンズ全長   661.10   661.10   661.10  
BF             5.00     5.00     5.00  
d10            2.35   134.37   191.55  
d17          281.17   125.74     1.97  
d26            1.16    19.15    57.33  
d29            1.93     7.34    35.75  
d30            7.00     7.00     7.00  
ズームレンズ群データ
群  始面    焦点距離  
1    1     250.00  
2   11     -25.70  
3   18      66.00  
4   27    -170.00  
5   31      64.15  
【００９３】
（数値実施例８）
単位 mm
面データ
面番号       r        d      nd         vd     
1        986.400    4.70   1.77250    49.6           
2        152.315   36.35                             
3       -389.257    4.50   1.77250    49.6           
4        649.417    0.15                             
5        309.455    9.28   1.71736    29.5           
6        773.725   10.00                             
7      -2927.374   14.00   1.49700    81.5           
8       -260.740    0.20                             
9       2461.113    4.40   1.80518    25.4           
10        290.226   15.00   1.49700    81.5           
11       -629.504   44.00                             
12        532.816   17.08   1.49700    81.5           
13       -273.087    0.15                             
14        458.740   12.43   1.49700    81.5           
15       -632.796    0.15                             
16        334.033    8.64   1.60000    62.0           
17       1546.906  (可変)                             
18*       557.320    1.50   1.77250    49.6           
19         97.578    5.64                             
20        438.891    1.50   1.72916    54.7           
21         34.755   10.46   1.84666    23.8           
22         94.827    6.11                             
23       -181.912    1.50   1.77250    49.6           
24         88.343  (可変)                             
25       1034.760    6.25   1.62041    60.3           
26       -139.471    0.15                             
27        134.131   11.11   1.48749    70.2           
28        -81.275    0.09                             
29        -86.919    1.60   1.80518    25.4           
30       -215.948  (可変)                             
31         88.441    1.60   1.80518    25.4           
32         57.856    9.30   1.48749    70.2           
33        416.792    0.15                             
34*        90.932    7.65   1.62041    60.3           
35       -557.289  (可変)                             
36(絞り)    ∞       2.50                             
37       -130.043    1.20   1.78800    47.4           
38         18.660    6.00   1.85478    24.8           
39       -342.983    1.40   1.78800    47.4           
40         76.796    5.00                             
41        -32.884   18.00   1.77250    49.6           
42        204.127    8.00                             
43        -72.498    1.20   1.53775    74.7           
44       -278.578    7.45   1.64000    66.1               
45        -35.849    4.00                             
46       -759.867    1.50   2.00100    29.1           
47         55.516    7.53   1.51633    64.1           
48        -85.963    1.00                             
49         84.653    7.00   1.49700    81.5           
50        -70.097    0.20                             
51         44.557    9.00   1.43875    94.9           
52        -72.016    1.00                             
53        -79.130    1.50   2.00069    25.5           
54         98.638    5.00   1.85896    22.7           
55       -103.983    8.00                             
56          ∞      33.00   1.60859    46.4           
57          ∞      13.20   1.51633    64.2           
58          ∞       9.98                             
像面        ∞   
非球面データ
第18面
K = 0.00000e+000  A 4= 2.65507e-007  A 6=-1.21934e-011  A 8=-1.74017e-015  A10=-3.97066e-017  A12= 8.17590e-021  
第34面
K = 0.00000e+000  A 4=-4.99441e-008  A 6=-4.51336e-010  A 8= 9.51567e-013  A10=-9.17379e-016  A12= 3.23522e-019  
各種データ
ズーム比     29.97 
焦点距離       6.50    34.98   194.79  
Fナンバー      1.49     1.50     2.20  
半画角        40.24     8.93     1.62  
像高           5.50     5.50     5.50  
レンズ全長   621.20   621.20   621.20  
BF             9.98     9.98     9.98  
d17            3.00    93.37   214.58  
d24          216.24    59.28     6.33  
d30            2.67    40.44     0.96  
d35            1.00    29.82     1.04  
ズームレンズ群データ
群  始面    焦点距離  
1    1     179.36  
2   18     -39.69  
3   25     110.12  
4   31      98.39  
5   36      33.06  
【００９４】
（数値実施例９）
単位 mm
面データ
面番号       r        d      nd         vd     
1         82.741    1.30   1.85478    24.8           
2         42.842    5.56   1.49700    81.5           
3       1792.106    0.15                             
4         43.798    4.75   1.61000    66.6           
5        143.613    0.10                             
6         30.626    5.04   1.61000    66.6           
7         69.899  (可変)                             
8         70.017    0.56   1.95375    32.3           
9          6.210    2.84                             
10         38.406    0.47   1.85150    40.8           
11         16.904    1.63                             
12        -18.359    0.47   1.77250    49.6           
13         26.727    0.23                             
14         16.574    2.17   1.95906    17.5           
15        -66.653  (可変)                             
16(絞り)    ∞     (可変)                             
17*        11.765    3.15   1.65000    55.0               
18       -153.641    5.74                             
19         41.611    0.45   2.00330    28.3           
20          9.378    3.97   1.43700    95.1           
21        -21.796    0.10                             
22*         9.778    3.46   1.59522    67.7           
23*       -41.343  (可変)                             
24        -82.545    0.40   1.95375    32.3           
25          5.912  (可変)                             
26         15.058    2.62   1.84666    23.9           
27        -18.657  (可変)                             
28          ∞       2.00   1.51633    64.1           
29          ∞       0.16                             
像面        ∞   
非球面データ
第17面
K =-3.80397e+000  A 4= 2.08172e-004  A 6=-1.65571e-006  A 8= 8.68007e-009  A10=-1.53017e-011  
第22面
K =-5.90856e+000  A 4= 6.46065e-004  A 6=-2.03164e-005  A 8= 5.00582e-007  A10=-6.58183e-009  
第23面
K =-1.09038e+001  A 4=-7.79487e-005  A 6=-7.12581e-006  A 8= 4.81206e-007  A10=-1.00312e-008  
各種データ
ズーム比     43.65 
広角     中間     望遠
焦点距離       4.43    40.79   193.58  
Fナンバー      1.67     3.00     4.95  
半画角        35.81     4.49     0.95  
像高           3.20     3.20     3.20  
レンズ全長    88.75    88.75    88.75  
BF             0.16     0.16     0.16  
d 7            1.08    24.82    30.03  
d15           29.54     5.80     0.59  
d16            3.34     0.79     0.60  
d23            3.53     7.13     0.98  
d25            3.31     2.26     8.61  
d27            0.63     0.63     0.63  
ズームレンズ群データ
群  始面    焦点距離  
1    1      43.83  
2    8      -6.00  
3   17      12.81  
4   24      -5.77  
5   26      10.20  
【００９５】
（数値実施例１０）
単位 mm
面データ
面番号       r        d      nd         vd     
1         55.757    1.35   1.84666    23.9           
2         29.468    6.05   1.55000    60.1           
3        -97.361    0.20                             
4         22.706    3.19   1.69680    55.5           
5         36.476  (可変)                             
6         41.186    0.80   1.83481    42.7           
7         11.018    3.00                             
8        -41.604    0.70   1.83481    42.7           
9         10.156    1.57                             
10        -53.310    0.60   1.83481    42.7           
11       -290.653    0.14                             
12         15.934    1.83   1.92286    18.9           
13        138.380  (可変)                             
14(絞り)    ∞     (可変)                             
15*         9.782    2.98   1.64000    66.1               
16       -129.866    3.82                             
17         47.026    0.70   1.80518    25.4           
18          8.600    0.46                             
19*        15.014    2.13   1.58313    59.4           
20        -90.181  (可変)                             
21         15.179    2.63   1.69680    55.5           
22       -149.700    0.70   1.84666    23.9           
23        164.417  (可変)                             
24          ∞       2.95   1.51633    64.1           
25          ∞       0.01                             
像面        ∞   
非球面データ
第15面
K =-1.24240e+000  A 4= 6.61643e-005  A 6=-2.82349e-008  A 8= 1.79831e-009  
第19面
K =-4.16889e-001  A 4=-5.53903e-005  
各種データ
ズーム比      5.82 
広角     中間     望遠
焦点距離       6.09    15.57    35.41  
Fナンバー      2.08     2.42     2.88  
半画角        26.45    11.01     4.89  
像高           3.03     3.03     3.03  
レンズ全長    77.50    76.95    76.50  
BF             0.01     0.01     0.01  
d 5            1.25    11.43    19.76  
d13           22.42    11.69     2.91  
d14            6.22     1.93     2.66  
d20            4.81     5.12     2.12  
d23            6.98    10.97    13.23  
ズームレンズ群データ
群  始面    焦点距離  
1    1      42.84  
2    6      -8.69  
3   15      19.09  
4   21      24.83  
【００９６】
（数値実施例１１）
単位 mm
面データ
面番号       r        d      nd         vd
1       -225.538    2.30   1.72047    34.7           
2        216.055    3.35                             
3        763.714    2.30   1.80100    35.0           
4         74.969   15.41   1.49700    81.5           
5       -142.751    0.40                             
6        151.783    7.57   1.43387    95.1           
7       -399.528    6.90                             
8        100.983   10.20   1.61800    63.3           
9       -201.748    0.15                             
10         57.342    4.95                             
11        105.743  (可変)                             
12         54.993    0.95   1.88300    40.8           
13         14.498    6.15                             
14        -91.164    6.90   1.80810    22.8           
15        -13.661    0.74   1.88300    40.8           
16         56.178    0.21                             
17         23.699    2.90   1.66680    33.0           
18         46.666  (可変)                             
19        -23.898    0.70   1.75700    47.8           
20         33.884    2.87   1.84649    23.9           
21      -2105.524  (可変)                             
22(絞り)    ∞       0.50                             
23       -210.420    3.66   1.63854    55.4           
24        -30.554    0.15                             
25         67.528    3.70   1.51633    64.1           
26       -109.104    7.04                             
27         48.799    5.92   1.59410    60.5           
28        -29.973    0.90   1.83481    42.7           
29        137.920  (可変)                             
30         93.805    4.61   1.49700    81.5           
31        -39.951    0.30                             
32       -167.103    1.40   1.83403    37.2           
33         22.511    5.38   1.48749    70.2           
34         42.284    0.29                             
35         45.122    6.50   1.50127    56.5           
36        -26.426    1.40   1.83481    42.7           
37        -47.338    2.04                             
38         33.335    5.30   1.50127    56.5           
39        -97.139    4.00                             
40          ∞      33.00   1.60859    46.4           
41          ∞      13.20   1.51633    64.1           
42          ∞       7.23                             
像面        ∞   
各種データ
ズーム比     16.40 
焦点距離       8.28    35.11   135.80
Fナンバー      1.84     1.83     2.45
半画角        33.60     8.90     2.32
像高           5.50     5.50     5.50
レンズ全長   269.04   269.04   269.04
BF             7.23     7.23     7.23
d11            0.10    32.08    45.42
d18           49.33    10.62    10.38
d21            5.72     9.40     0.41
d29           32.40    35.46    31.34
ズームレンズ群データ
群  始面    焦点距離  
1    1      61.49  
2   12     -14.85  
3   19     -34.99  
4   22      32.37  
5   30      44.64  
【００９７】
（数値実施例１２）
単位 mm
面データ
面番号       r        d      nd         vd
1        986.400    4.70   1.77250    49.6           
2        152.315   36.35                             
3       -389.257    4.50   1.77250    49.6           
4        649.417    0.15                             
5        309.455    9.28   1.71736    29.5           
6        773.725   10.00                             
7      -2927.374   14.00   1.49700    81.5           
8       -260.740    0.20                             
9       2461.113    4.40   1.80518    25.4           
10        290.226   15.00   1.49700    81.5           
11       -629.504   44.00                             
12        532.816   17.08   1.49700    81.5           
13       -273.087    0.15                             
14        458.740   12.43   1.49700    81.5           
15       -632.796    0.15                             
16        334.033    8.64   1.60000    62.0           
17       1546.906  (可変)                             
18*       557.320    1.50   1.77250    49.6           
19         97.578  (可変)                             
20        438.891    1.50   1.72916    54.7           
21         34.755   10.46   1.84666    23.8           
22         94.827    6.11                             
23       -181.912    1.50   1.77250    49.6           
24         88.343  (可変)                             
25       1034.760    6.25   1.62041    60.3           
26       -139.471    0.15                             
27        134.131   11.11   1.48749    70.2           
28        -81.275    0.09                             
29        -86.919    1.60   1.80518    25.4           
30       -215.948  (可変)                             
31         88.441    1.60   1.80518    25.4           
32         57.856    9.30   1.48749    70.2           
33        416.792    0.15                             
34*        90.932    7.65   1.62041    60.3           
35       -557.289  (可変)                             
36(絞り)    ∞       2.50                             
37       -175.680    1.20   1.78800    47.4           
38         18.085    6.00   1.85478    24.8           
39        269.093    1.40   1.78800    47.4           
40         87.347    5.00                             
41        -39.381   18.00   1.77250    49.6           
42        105.444    8.00                             
43        -41.915    1.20   1.53775    74.7           
44        170.730    7.45   1.64000    66.1           
45        -36.568    4.00                             
46       8815.073    1.50   2.00100    29.1           
47         46.419    7.53   1.51633    64.1           
48        -67.305    1.00                             
49        114.879    7.00   1.49700    81.5           
50        -72.138    0.20                             
51         50.059    9.00   1.43875    94.9           
52        -49.587    1.00                             
53        -48.295    1.50   2.00069    25.5           
54        -95.795    5.00   1.85896    22.7           
55        -55.237    8.00                             
56          ∞      33.00   1.60859    46.4           
57          ∞      13.20   1.51633    64.2           
58          ∞       9.98                             
像面        ∞   
非球面データ
第18面
K = 0.00000e+000  A 4= 2.65507e-007  A 6=-1.21934e-011  A 8=-1.74017e-015  A10=-3.97066e-017  A12= 8.17590e-021  
第34面
K = 0.00000e+000  A 4=-4.99441e-008  A 6=-4.51336e-010  A 8= 9.51567e-013  A10=-9.17379e-016  A12= 3.23522e-019  
各種データ
ズーム比     30.01 
焦点距離       6.50    34.91   195.06  
Fナンバー      1.49     1.50     2.20  
半画角        40.24     8.95     1.62  
像高           5.50     5.50     5.50  
レンズ全長   621.20   621.20   621.20  
BF             9.98     9.98     9.98  
d17            3.00    92.94   213.58  
d19            5.64     6.07     6.64  
d24          216.24    59.17     5.73  
d30            2.67    40.45     0.27  
d35            1.00    29.92     2.33  
ズームレンズ群データ
群  始面    焦点距離  
1    1     179.36  
2   18    -153.34  
3   20     -60.35  
4   25     110.12  
5   31      98.39  
6   36      30.50  
【００９８】
（数値実施例１３）
単位 mm
面データ
面番号       r        d      nd         vd
1        301.593    3.20   1.77250    49.6           
2         60.876   24.07                             
3       -114.387    2.70   1.77250    49.6           
4        385.424    0.20                             
5        144.638    6.98   1.92286    20.9           
6        652.488    2.00                             
7        527.259   11.27   1.56384    60.7           
8*      -132.487    0.20                             
9        504.283   15.28   1.49700    81.5           
10        -79.800    2.50   1.80000    29.8           
11       -132.902    7.00                             
12        122.204    2.50   1.73800    32.3           
13         56.273   20.37   1.49700    81.5           
14       -216.647    0.20                             
15         70.712   11.75   1.53715    74.8           
16       -748.775    0.20                             
17        120.911    3.46   1.79000    45.5           
18        153.572  (可変)                             
19*        65.476    1.20   1.88300    40.8           
20         18.455    5.59                             
21        -96.187    4.22   1.84666    23.8           
22        -23.225    0.70   1.77250    49.6           
23        -98.308    2.29                             
24        -24.740    0.70   1.72916    54.7           
25        188.712    0.16                             
26         59.654    4.01   1.65412    39.7           
27        -73.629  (可変)                             
28        -33.864    0.90   1.65160    58.5           
29        154.716    2.37   1.80810    22.8           
30       -398.291  (可変)                             
31(絞り)    ∞       1.29                             
32        829.269    4.50   1.61000    66.6           
33        -59.746    0.20                             
34        102.026    5.05   1.59410    60.5           
35       -104.053    0.20                             
36         67.436    5.21   1.49700    81.5           
37       -192.219    1.20   2.00100    29.1           
38        423.848    0.20                             
39         45.520    8.34   1.51633    64.1           
40        -50.707    1.10   1.77250    49.6           
41        162.272   23.37                             
42         45.164    5.15   1.48749    70.2           
43        -51.322    0.58                             
44         30.004    5.56   1.48749    70.2           
45        -42.058    1.00   2.00069    25.5           
46         24.369    2.36                             
47         77.241    7.29   1.80810    22.8           
48        -16.864    1.00   1.88300    40.8           
49         83.389    6.11                             
50         36.529    5.07   1.48749    70.2           
51       -269.203   38.00                             
像面        ∞   
非球面データ
第8面
K = 1.10503e+000  A 4= 2.30592e-007  A 6= 2.88549e-011  A 8=-8.66905e-014  A10= 1.32911e-016  A12=-1.14764e-019  A14= 4.95589e-023  A16=-8.43550e-027  
第19面
K = 3.44770e+000  A 4= 1.56848e-006  A 6=-1.14379e-008  A 8= 7.31299e-011  A10=-5.59126e-013  A12= 2.16176e-015  A14=-3.60606e-018  A16= 9.59702e-022  
各種データ
ズーム比      8.00 
焦点距離      20.02    70.09   160.20
Fナンバー      2.97     2.96     3.63
半画角        37.83    12.51     5.54
像高          15.55    15.55    15.55
レンズ全長   309.58   309.58   309.58
BF            38.00    38.00    38.00
d18            0.05    32.97    44.30
d27           41.34     5.20     5.13
d30            9.40    12.62     1.36
ズームレンズ群データ
群  始面    焦点距離  
1    1      53.64  
2   19     -21.51  
3   28     -62.03  
4   31      33.88  
【００９９】
【表１】
2020012909.tif 000004
【符号の説明】
【０１００】
Ｌ１  第１レンズ群
Ｌ２  第２レンズ群
Ｌ３  第３レンズ群
Ｌ４  第４レンズ群
Ｌ５  第５レンズ群
【図１】
2020012909.tif 000005
【図２】
2020012909.tif 000006
【図３】
2020012909.tif 000007
【図４】
2020012909.tif 000008
【図５】
2020012909.tif 000009
【図６】
2020012909.tif 000010
【図７】
2020012909.tif 000011
【図８】
2020012909.tif 000012
【図９】
2020012909.tif 000013
【図１０】
2020012909.tif 000014
【図１１】
2020012909.tif 000015
【図１２】
2020012909.tif 000016
【図１３】
2020012909.tif 000017
【図１４】
2020012909.tif 000018
【図１５】
2020012909.tif 000019
【図１６】
2020012909.tif 000020
【図１７】
2020012909.tif 000021
【図１８】
2020012909.tif 000022
【図１９】
2020012909.tif 000023
【図２０】
2020012909.tif 000024
【図２１】
2020012909.tif 000025
【図２２】
2020012909.tif 000026
【図２３】
2020012909.tif 000027
【図２４】
2020012909.tif 000028
【図２５】
2020012909.tif 000029
【図２６】
2020012909.tif 000030
【図２７】
2020012909.tif 000031
【図２８】
2020012909.tif 000032